(57)【要約】【目的】閉塞時には嵌め殺しのガラスブロック壁と略同等の外観と遮音性、断熱性、気密性、採光性等の特性を有し、開口時には侵入されにくく防犯性に優れ、開口するための広いスペースを必要とせず、通気性の高い開閉機能を有するガラスブロック壁およびガスケット材を提供することである。【構成】本発明の開閉機能を有するガラスブロック壁は、１個以上のガラスブロックからなる複数のガラスブロック結合体を、閉塞時には、重合分離可能なガスケット目地を介して縦方向または横方向に配列してなり、開口時には、該ガラスブロック結合体を、ガラスブロック結合体の回転軸で回動させて開閉することによって、通気可能となることを特徴とする。【選択図】　　　　図１
2004143706.tif 000002
【特許請求の範囲】
【請求項１】
１個以上のガラスブロックからなる複数のガラスブロック結合体を、閉塞時には、重合分離可能なガスケット目地を介して縦方向または横方向に配列してなり、開口時には、該ガラスブロック結合体を、ガラスブロック結合体の回転軸で回動させて開閉することによって、通気可能となることを特徴とする開閉機能を有するガラスブロック壁。
【請求項２】
ガラスブロック結合体が、１個以上のガラスブロックをフレームで囲繞して一体化してなることを特徴とする請求項１に記載の開閉機能を有するガラスブロック壁。
【請求項３】
ガスケット目地がガラスブロック結合体間にその全長にわたって形成されてなるガスケット材を有し、ガスケット材が重合分離可能面を有し、重合分離可能面が傾斜して開閉方向に重合分離可能に形成されてなることを特徴とする請求項１に記載の開閉機能を有するガラスブロック壁。
【請求項４】
請求項１〜３のいずれかに記載の開閉機能を有するガラスブロック壁において使用されるガスケット材であって、ガラスブロック結合体間に配置され、重合分離可能面を有し、重合分離可能面が傾斜して開閉方向に重合分離可能に形成されてなることを特徴とするガスケット材。
【発明の詳細な説明】
【０００１】
【発明の属する技術分野】
本発明は、ガラスブロック結合体が回動することによって開口し、通気可能となり、例えば、居所、台所、浴室などのように、必要に応じて換気を必要とする建物の開口部に設けられる開閉機能を有するガラスブロック壁とガスケット材に関するものである。
【０００２】
【従来の技術】
ガラスブロックは、有底無蓋の箱型形状を有し、底部が透光面となる一対のガラス成形体が、互いの開放端縁で封着一体化されてなるものであり、複数個のガラスブロックを縦横方向に積層配列して一体化してなるガラスブロック壁は、透光性、断熱性、遮音性に優れるため、従来から建築物の壁材として使用されている。
【０００３】
しかし、ガラスブロック壁は周囲の構造体に固定され、各ガラスブロックがモルタル等で固定一体化されて嵌め殺しとなっているため、換気の必要な場合には別途通気孔を設ける必要があった。
【０００４】
換気可能なガラスブロック壁としては、一部のガラスブロックのかわりにガラスブロックと同じ大きさの金属製の通気ブロックが埋め込まれ、通気が可能なガラスブロック壁が開示されている（例えば、特許文献１参照。）。
【０００５】
また、窓材および複数個のガラスブロックを支持するサッシを有し、ヒンジ（蝶番）を用いて窓枠に関しサッシが開閉可能なようにサッシを取り付けたガラスブロック窓が開示されている（例えば、特許文献２参照。）。
【０００６】
【特許文献１】
特開平１１−１０７４３９号公報
【特許文献２】
特開平６−２２７１７０号公報
【０００７】
【発明が解決しようとする課題】
特許文献１に開示されたガラスブロック壁は、ガラスブロックとは異質な金属製（アルミ製）の通気ブロックがいくつか存在するため、採光性が悪化し、外観的に従来の嵌め殺しのガラスブロック壁と異なるものであった。また、通気ブロックがガラスブロックと同等の大きさであるため通気性が低かった。さらに、この通気ブロックは気密性にも乏しいため、ガラスブロック壁が本来有する遮音性や断熱性も損なわれていた。
【０００８】
また、特許文献２に開示されたガラスブロック窓は、１枚窓として開閉し、開口部が大きくなりやすく外部から侵入されやすいため防犯上の理由から好ましくなく、また、開閉するためには開口部付近に広いスペースが必要であった。
【０００９】
本発明の目的は、閉塞時には嵌め殺しのガラスブロック壁と略同等の外観と遮音性、断熱性、気密性、採光性等の特性を有し、開口時には侵入されにくく防犯性に優れ、開口するための広いスペースを必要とせず、通気性の高い開閉機能を有するガラスブロック壁およびガスケット材を提供することである。
【００１０】
【課題を解決するための手段】
本発明の開閉機能を有するガラスブロック壁は、１個以上のガラスブロックからなる複数のガラスブロック結合体を、閉塞時には、重合分離可能なガスケット目地を介して縦方向または横方向に配列してなり、開口時には、該ガラスブロック結合体を、ガラスブロック結合体の回転軸で回動させて開閉することによって、通気可能となることを特徴とする。
【００１１】
【作用】
本発明の開閉機能を有するガラスブロック壁は、１個以上のガラスブロックからなる複数のガラスブロック結合体を、閉塞時には、重合分離可能なガスケット目地を介して縦方向または横方向に配列してなり、開口時には、該ガラスブロック結合体を、ガラスブロック結合体の回転軸で回動させて開閉することによって、通気可能となるため、閉塞時には嵌め殺しのガラスブロック壁と略同等の外観と遮音性、断熱性、気密性、採光性等の特性を有し、開口時には侵入されにくく防犯性に優れ、開口するために広いスペースを確保する必要がなく、高い通気性を得ることができる。すなわち、本発明の開閉機能を有するガラスブロック壁は、閉塞時には、ガラスブロック結合体が重合分離可能なガスケット目地を介して壁面を形成し、ガスケット目地がガラスブロック結合体の隙間を充填しているため、嵌め殺しのガラスブロック壁と略同等の外観、遮音性、断熱性、気密性を有する。また、開口時には開口部がガラスブロック結合体によって複数に分割され、その分割された開口面積が小さいため、侵入されにくく防犯性に優れ、かつ、ガラスブロック壁の周辺には、ガラスブロック壁が複数に分割されたガラスブロック結合体を開口するため広いスペースを確保する必要がない。さらに、ガラスブロック壁全体としては開口面積が大きいため高い通気性を得ることができる。
【００１２】
なお、ガラスブロック結合体の回転軸とはガラスブロック結合体の長尺方向に平行に、かつ、ガラスブロック結合体の長尺方向と垂直な面の略中心部に位置する軸をさす。
【００１３】
ガラスブロック結合体が、複数個のガラスブロックからなる場合には、複数個のガラスブロックが間隔を設けて格子状に整列配置されており、複数個のガラスブロック間に形成された目地材によって一体化されて形成されてなると、ガラスブロック結合体の強度が増し、遮音性、断熱性、気密性が得られやすいため好ましい。
【００１４】
目地材としては、シリコーンゴム、ＥＰＤＭゴム、クロロプレンゴム等の弾性材料、モルタル等が使用可能であり、特に、目地材がシリコーンゴム、ＥＰＤＭゴム、クロロプレンゴム等の弾性材料からなると、ガラスブロック結合体を軽量化しやすく、ガラスブロック結合体の開閉操作をスムースに行えるため好ましい。
【００１５】
上記した弾性材料の目地材からなるゴム目地は、ガラスブロック間に未固化の弾性材料前駆体を充填し、固化することによって形成しても、または、シリコーンゴム、ＥＰＤＭゴム、クロロプレンゴム等からなる予め筒状に成形されたパッキンをガラスブロックの側面に嵌合して、形成しても良いが、特にパッキンであるとガラスブロック結合体を作製しやすいため好ましい。
【００１６】
本発明の開閉機能を有するガラスブロック壁は、ガラスブロック結合体が、１個以上のガラスブロックをフレームで囲繞して一体化してなると、ガラスブロック結合体の結合強度が高くなり、また、ガラスブロックが容易に取り外すことができないため防犯上好ましい。また、フレームの短尺側面にガラスブロック結合体を回動させるための回転軸を有する開閉装置を取り付けやすくなるため好ましい。
【００１７】
フレームは、アルミニウム、ステンレス、ＦＲＰなどの材料が使用可能であり、特にステンレス製であると、錆びにくく、ガラスブロックが破損してもフレームが破損や変形を起こしにくく、フレームが開口部に設けられた柵として機能するため外部からの侵入を阻止しやすい。
【００１８】
ガラスブロック結合体は、ガラスブロックとフレームとの間に弾力性を有するゴムや発泡樹脂からなる緩衝材が配置されていると、開閉時にガラスブロックの側面に直接負荷がかかりにくく、ガラスブロックが破損しにくいため好ましい。
【００１９】
ガラスブロック結合体は、ガラスブロック結合体の長尺方向に形成されているフレームの間を連結するはしご状の補強筋がガラスブロック間の目地材内部に埋設されてなると、ガラスブロック結合体が回動する際にガラスブロック結合体にねじれや反りが発生することを防ぐことができるため好ましい。
【００２０】
また、ガラスブロック結合体は、ガラスブロックの厚みがガラスブロックの透光面の大きさの１／４．８〜１／２．４であると、ガラスブロック結合体が９０度回転した最大開口時であっても、ガラスブロックの厚みが目隠しとして働き、プライバシー性が高いため好ましい。すなわち、ガラスブロックの厚みが、ガラスブロック透光面の大きさの１／２．４よりも厚いとガラスブロック結合体間の目地幅を大きくしなければ開閉しにくく、また目地幅が大きいため嵌め殺しのガラスブロック壁と同等の外観を有さなくなり、１／４．８よりも薄いと遮音性、断熱性が損なわれやすく、また、目隠しとして働きにくい。
【００２１】
ガラスブロック結合体が、長尺方向の長さが２ｍ以下であり、短尺方向は、１列または２列のガラスブロックが整列配置されていると軽量であるため開閉がしやすく、また外部から侵入されにくいため好ましい。
【００２２】
本発明の開閉機能を有するガラスブロック壁は、ガスケット目地がガラスブロック結合体にその全長にわたって形成されてなるガスケット材を有し、ガスケット材が重合分離可能面を有し、重合分離可能面が傾斜して開閉方向に重合分離可能に形成されてなると、閉塞時にはガスケット材が互いに重合分離可能面で当着するため気密性が高く、また、開口する際に、逆方向に開口するのを防ぐストッパーとして働き、正方向に開口する際には、隣接するガラスブロック結合体が互いに引っかかることがないため、スムースに開閉操作を行いやすい。
【００２３】
ガスケット目地においてガスケット材が、ガラスブロック結合体の側面に嵌合したパッキンにシリコーン接着剤等を用いて接着されていても、ガスケット材とパッキンが一体成形されガラスブロックに嵌合してなっても良いがガスケット材とパッキンが一体成形されていると製造上の手間が少なく、気密性に優れるため好ましい。
【００２４】
また、ガスケット材が重合する重合分離可能面の少なくともいずれか一方にガラスブロック結合体の長尺方向と平行に全長にわたる条突起片を有していると、閉塞時において重合分離可能面の間に隙間が生じても気密性を維持でき、また、重合分離可能面に付着している水滴を掻き出すことができるため好ましい。
【００２５】
ガスケット材が、シリコーンゴム、ＥＰＤＭゴム、クロロプレンゴムであると、弾力性、撥水性、耐候性が良好であるため気密性能および止水性能を維持しやすい。
【００２６】
本発明の開閉機能を有するガラスブロック壁は、ガラスブロック結合体を回動させるための回転軸を有する開閉装置が、歯車やてこのように回転軸を中心にして回転する回転機構を有する、または、回転軸が溝に沿って動きながら回転するスライダー機構を有すると、開閉装置の構造が簡素であり、ガラスブロック結合体を開閉しやすいため好ましい。
【００２７】
ガラスブロック結合体に設置されている開閉装置が、ワイヤー、チェーン、シャフト等で連結されていると、ガラスブロック結合体を同時に同じ角度で開閉することができるため好ましく、さらに、オペレーターハンドルやモーターにも連結していると、容易にガラスブロック結合体を開閉することができ、角度を調節しやすいため好ましい。
【００２８】
ガラスブロック結合体が配設されるサッシとガラスブロック結合体との間には、サッシまたはガラスブロック結合体に接着した弾力性を有するサッシゴムが配設されてなると、ガラスブロック壁の気密性を高めることができるため好ましい。特にサッシゴムは、開閉装置の動きを妨げないように配設されていると好ましく、シリコーンゴム、ＥＰＤＭゴム、クロロプレンゴムが使用可能である。
【００２９】
また、本発明のガラスブロック壁は、ガラスブロック結合体が室内側からビス止めされてなると、ガラスブロック壁の取り外しが困難となるため防犯上好ましい。
【００３０】
本発明の開閉機能を有するガラスブロック壁は、閉塞時に風によって、または、侵入者によってガラスブロック結合体が開くことがないようにロックすることができると、防犯上の理由またはガラスブロック壁の破損を防止できるため好ましい。
【００３１】
本発明の開閉機能を有するガラスブロック壁は、ガラスブロック壁の全体が開閉可能であっても、例えば、ガラスブロック壁の上半分だけが開閉可能で下半分が固定されているガラスブロック壁のように、ガラスブロック壁の一部が開閉可能であっても良い。
【００３２】
【実施例】
本発明の開閉機能を有するガラスブロック壁を実施例に基づいて詳細に説明する。
【００３３】
図１は、本発明の開閉機能を有するガラスブロック壁を示し、（ａ）は、閉塞時のガラスブロック壁の斜視図であり、（ｂ）は、開口時のガラスブロック壁の斜視図である。図２は、ガラスブロック結合体を示し、（ａ）は、正面図であり、（ｂ）は、平面図である。図３は、本発明の開閉機能を有するガラスブロック壁のガスケット目地の説明図を示し、（ａ）は、閉塞時のガスケット目地の縦方向拡大断面説明図であり、（ｂ）は、開口時のガスケット目地の縦方向拡大断面説明図である。図４〜６は、閉塞時における他の実施形態のガスケット目地を示す縦方向断面説明図である。また、図７は、本発明の開閉装置の説明図であり、（ａ）は、閉塞時の開閉装置の状態説明図であり、（ｂ）は、開口時の開閉装置の状態説明図である。
【００３４】
図１に示すように、本発明のガラスブロック壁１０は５個のガラスブロックＧからなるガラスブロック結合体１１を５枚、閉塞時（ａ）にはガラスブロック結合体１１、１１間にその全長にわたって形成されている重合分離可能なガスケット目地１２を介して縦方向に配列してなり、開口時（ｂ）にはガラスブロック結合体１１の回転軸（図示せず）で回動させることによって通気可能となる。また、ガラスブロック結合体１１とサッシ１３の隙間にはサッシ１３に閉塞時にはガラスブロック結合体１１と密着するシリコーンゴム製の弾力性を有するサッシゴム１４が配置されている。
【００３５】
なお、ガラスブロック結合体１１は、図２に示すように、シリコーンゴム製のパッキン１５ａが側面に嵌合した１４５×１４５×５０ｍｍのガラスブロックＧを５個一列に隙間なく整列配置し、ガラスブロックＧ、Ｇ間にはゴム目地１５が形成されてなり、全ガラスブロックＧの周囲をステンレス製のフレーム１６によって囲繞して形成されている。
【００３６】
ガスケット目地１２は、図３（ａ）に示すように閉塞時には、シリコーンゴム製の４つのガスケット片１７ａ、１７ｂ、１７ｃ、１７ｄからなるガスケット材１７がガラスブロック結合体１１の側面１１ａにパッキン１５ａを介してシリコーン接着剤によって接着されており、ガスケット片１７ａとガスケット片１７ｂ、ガスケット片１７ｃとガスケット片１７ｄがそれぞれ対をなし、それぞれ重合分離可能面１７ａａと１７ｂａが当着し、また、１７ｃａと１７ｄａで当着している。
【００３７】
また、ガスケット目地１２は、図３（ｂ）に示すように開口時には上部および下部のガラスブロック結合体１１が回転軸（図示せず）を中心に時計回りに回動し、ガスケット材１７の重合分離可能面１７ａａ、１７ｂａ、１７ｃａ、１７ｄａが図示されたような傾斜を有する。
【００３８】
ガスケット材１７の重合分離可能面１７ａａ、１７ｂａ、１７ｃａ、１７ｄａが、ガラスブロック結合体１１の回動に伴って分離し、開合部１８が形成されている。なお、ガスケット材１７のガスケット片１７ｃの重合分離可能面１７ｃａには一体成形された条突起片１７ｃｂがガスケット片１７ｃの全長にわたって形成されている。
【００３９】
また、上記したガスケット目地１２のかわりに図４〜図６に示すガスケット目地２０、２１、２２を用いてもよい。図４に示すガスケット目地２０は、ガスケット材２３が重合分離可能となるように２つのガスケット片２３ａ、２３ｂから形成され平面状の重合分離可能面２３ａａ、２３ｂａで当着している。
【００４０】
また、図５に示すガスケット目地２１は、図４のガスケット目地２０と構成は同じであり、ガスケット材２４が重合分離可能となるように２つのガスケット片２４ａ、２４ｂからなり、重合分離可能面２４ａ、２４ｂが曲面となっている。
【００４１】
また、図６に示すガスケット目地２２は、ガスケット材２５が重合分離可能となるように２つのガスケット片２５ａ、２５ｂから形成され、空隙部２５ｃによって分断された重合分離可能面２５ａａ、２５ｂａで当着している。
【００４２】
特に、図３および図６に示したガスケット目地１２、２２は、外部から雨水が侵入しても雨水を空隙部に留めることができるため内部に侵入しにくく止水性能に優れるため好ましい。
【００４３】
図７に示すようにガラスブロック結合体１１を回動させるために、てこを用いた開閉装置である開閉金具３０は、ガラスブロック結合体１１を囲繞しているフレーム１６に支持部３０ａで固定されている。開閉金具３０の回転軸３０ｂはサッシ１３に回転可能なように接合されており、開閉金具３０の力点３０ｃは連結棒３１によって連結しており、末端の連結棒３１は、オペレーターハンドル（図示せず）に結合している。
【００４４】
上記した構成を有する実施例の開閉機能を有するガラスブロック壁１０は、５個のガラスブロックからなる５枚のガラスブロック結合体１１を閉塞時には重合分離可能なガスケット目地１２を介して配列してなり、ガラスブロックＧ、Ｇ間にはゴム目地１５およびガスケット目地１２が配設されてなりガラスブロックＧ、Ｇの間隔（ゴム目地幅やガスケット目地幅）が、従来から使用されている嵌め殺しのガラスブロック壁の目地幅と同程度であるため略同等の外観を有するとともに遮音性、断熱性、気密性、採光性等の特性を有する。
【００４５】
さらに、実施例のガラスブロック壁１０は、ガラスブロック結合体１１によって５つに分割され、１つのガラスブロック結合体１１あたりの開口面積が小さいため、ガラスブロックＧが破損しても、フレーム１６が柵として機能して外部からの侵入を防ぐことができ防犯性に優れ、また、ガラスブロック結合体１１を開口するために広いスペースを確保する必要がない。また、ガラスブロック壁１１全体としては、開口面積が大きいため十分な通気性を得ることができる。
【００４６】
【発明の効果】
以上のように、本発明の開閉機能を有するガラスブロック壁は、開閉できないガラスブロック壁と略同等の外観と、遮音性、断熱性、気密性、採光性等の特性を有し、防犯性能に優れ、開閉するために広いスペースを必要とせず、さらに通気性が高いため、特に居室、浴室、台所等のように必要に応じて換気を必要とする建物の開口部に好適である。
【図面の簡単な説明】
【図１】本発明の開閉機能を有するガラスブロック壁を示し、（ａ）は、閉塞時のガラスブロック壁の斜視図であり、（ｂ）は、開口時のガラスブロック壁の斜視図である。
【図２】ガラスブロック結合体を示し、（ａ）は、正面図であり、（ｂ）は、平面図である。
【図３】本発明の開閉機能を有するガラスブロック壁のガスケット目地を示し、（ａ）は、閉塞時のガスケット目地の縦方向拡大断面説明図であり、（ｂ）は、開口時のガスケット目地の縦方向拡大断面説明図である。
【図４】閉塞時における他の実施形態のガスケット目地を示す縦方向断面説明図である。
【図５】閉塞時における他の実施形態のガスケット目地を示す縦方向断面説明図である。
【図６】閉塞時における他の実施形態のガスケット目地を示す縦方向断面説明図である。
【図７】本発明の開閉装置の説明図であり、（ａ）は、閉塞時の開閉装置の状態説明図であり、（ｂ）は、開口時の開閉装置の状態説明図である。
【符号の説明】
１０　ガラスブロック壁
１１　ガラスブロック結合体
１１ａ　側面
１２、２０、２１、２２　ガスケット目地
１３　サッシ
１４　サッシゴム
１５　ゴム目地
１５ａ　パッキン
１６　フレーム
１７、２３、２４、２５　ガスケット材
１７ａ、１７ｂ、１７ｃ、１７ｄ、２３ａ、２３ｂ、２４ａ、２４ｂ、２５ａ、２５ｂ　ガスケット片
１７ａａ、１７ｂａ、１７ｃａ、１７ｄａ、２３ａａ、２３ｂａ、２４ａａ、２４ｂａ、２５ａａ、２５ｂａ　重合分離可能面
１７ｃｂ　条突起片
１８　開合部
２５ｃ　空隙部
３０　開閉金具
３０ａ　支持部
３０ｂ　回転軸
３０ｃ　力点
３１　連結棒
Ｇ　ガラスブロック
【図１】
2004143706.tif 000003
【図２】
2004143706.tif 000004
【図３】
2004143706.tif 000005
【図４】
2004143706.tif 000006
【図５】
2004143706.tif 000007
【図６】
2004143706.tif 000008
【図７】
2004143706.tif 000009